(57)【要約】【課題】一種の３段式固定のラチェット・レンチを提供する。【解決手段】本考案は、本体と、伝動体と、方向切換え装置と、トグル部材と、制御部材と、固定装置と、を含む３段式固定のラチェット・レンチであって、伝動体と同じ芯軸のトグル部材によって方向切換え装置を伝動移動し、スムーズ操作ならびに確実動作の効果を実現するほか、部品点数を削減できる長所がある。トグル部材は２つの移動部を有し、方向切換え装置に備える２つの方向切換えブロックの連動部にそれぞれ接触することにより、該２つの方向切換えブロックは選択によって、伝動体にかみ合う。また、トグル部材に備える２つの移動部はさらにフック部を有し、該２つの方向切換えブロックは弾性部材によって抑えられていても確実に伝動体を引き離し、操作確実の効果を有する。固定装置は、３つの押し面を備える滑りシートによって、３つ位置の固定効果を形成する。【選択図】図２
0003150148.tif 000002
【実用新案登録請求の範囲】
【請求項１】
本体と、伝動体と、方向切換え装置と、トグル部材と、制御部材と、固定装置と、を含む３段式固定のラチェット・レンチであって、
該本体は、頭部を有し、該頭部に収容空間を設け、該収容空間は円形状の第１収容溝と、該第１収容溝の内壁面に凹んで設けられる第２収容溝とを含み、該頭部の上部端面には該収容空間と連絡する貫通孔を設け、
該伝動体は、該第１収容溝に旋設され、該伝動体の中間場所はかみ合い部を形成し、該伝動体の一端には該貫通孔を通り抜ける別のかみ合い部を設け、該伝動体には該別のかみ合い部の反対側に、該頭部の下部端面に露出して、スリーブに接続する伝動軸を設け、
方向切換え装置は、該第２収容溝に収容され、該伝動体とかみ合い関係を形成するとともに、第１方向切換えブロックと、第２方向切換えブロックと、該２つの方向切換えブロックの間に設けられる弾性部材とを含み、該２つの方向切換えブロックには該伝動体のかみ合い部にかみ合うすくい面と、連動部とをそれぞれ設け、
該トグル部材は、該頭部の該収容空間に設けられ、該トグル部材に枢支孔を明け、該枢支孔は該伝動体のかみ合い部にかみ合い、該トグル部材の一端は該第２収容溝に向かって延ばす移動シートを形成し、該トグル部材にはさらに第１移動部と第２移動部を設け、該２つの移動部は選択により、該２つの方向切換えブロックの連動部を伝動でき、
該制御部材には、装入孔を設け、その片側に制御部を延ばして設け、該装入孔は該伝動体に装入し、該貫通孔より露出し、該制御部材は利用者の移動操作により、該トグル部材を回転させ、
該固定装置は、該制御部材の制御部に収容されることにより、該制御部材を３つの位置において移動させる一方、
該制御部材が第１位置にあるとき、該トグル部材の第１移動部が該第１方向切換えブロックの連動部に接触することにより、該第１方向切換えブロックのすくい面を該伝動体のかみ合い部から引き離し、該伝動体は該本体に対する時計方向回転の効果を有し、また、該制御部材が第２位置にあるとき、該トグル部材の第２移動部が第２方向切換えブロックの連動部に接触することにより、該第２方向切換えブロックのすくい面を該伝動体のかみ合い部から引き離し、本体に対して逆時計方向回転の効果を有し、さらに、該制御部材が第３位置にあるとき、前記２つの方向切換えブロックのすくい面とも該伝動体のかみ合い部にかみ合い、該伝動体が該本体に同期して回転できない効果を有することを特徴とする、３段式固定のラチェット・レンチ。
【請求項２】
該トグル部材に備える２つの移動部の間には移動空間を形成し、該移動空間は前記２つの方向切換えブロックの連動部の移動を提供し、該トグル部材に備える２つの移動部の末端にはフック部をそれぞれ形成し、該フック部は該連動部の移動量を制限できるため、該方向切換えブロックは移動された後に良好な固定を形成することを特徴とする、請求項１記載の３段式固定のラチェット・レンチ。
【請求項３】
該貫通孔は、第１収容溝と同じ芯軸のノッチと、第２収容溝に向かって延ばす切欠きとからなり、該トグル部材に固定溝を設け、該制御部材に固定シートを設け、該固定シートは該切欠きを通り抜けて、該トグル部材の固定溝に延ばし、これにより、該制御部材は該トグル部材と同期に回転し、該制御部材は該制御部の底面に弓状溝とスロットが設けられ、該スロットと該弓状溝とは互いに連絡し、該固定装置は滑りシートと、弾性部材とからなり、該滑りシートは該制御部に内設するスロットに設けられ、かつ局部的に該弓状溝に延ばされ、該頭部には該弓状溝に延ばすピンを設け、該滑りシートは該ピンと３つの固定位置を形成し、該滑りシートの該弓状溝に向かう端には第１押し面、第２押し面、第３押し面をそれぞれ設け、該３つの押し面は選択により該ピンを押し、該制御部材に前記３つの固定位置を形成し、該第３押し面は該第１押し面と該第２押し面との間に設けられ、かつ該第２押し面は凹み円弧状を呈し、該第１押し面と該第２押し面は斜面状を呈し、該滑りシートの一端に凹み部を形成して、弾性部材を収容し、該制御部材のスロットに備える開放端には留め金を設け、弾性部材をスロットから露出させず、該連動部は円柱状の突起塊を形成し、該方向切換えブロックはすくい面の反対側に突き合わせ部を形成し、該方向切換えブロックは第２収容溝の内壁において接触または摺動できることを特徴とする、請求項２記載の３段式固定のラチェット・レンチ。
【考案の詳細な説明】
【技術分野】
【０００１】
本考案は、ラチェット・レンチに係り、特に一種の３段式固定のラチェット・レンチに関する。
【背景技術】
【０００２】
米国特許第７２７８３３９号による可逆式ラチェット・レンチ（Ｒｅｖｅｒｓｉｂｌｅ  Ｒａｔｃｈｅｔ  Ｗｒｅｎｃｈ）で、一種の可逆式ラチェット・レンチが開示されている。このラチェット・レンチはリング（ｒｉｎｇ）により切換え素子（ｓｗｉｔｃｈｉｎｇ  ｍｅｍｂｅｒ）を伝動し、２方向の位置変化を引き起し、かつ該切換え素子の先端にプレス部材（ｐｒｅｓｓｉｎｇ  ｍｅｍｂｅｒ）と、弾性部（ｅｌａｓｔｉｃ  ｅｌｅｍｅｎｔ）が設けられ、つめ（ｐａｗｌ）を伝動して、該つめを２つの位置にて移動するように制御し、かつ伝動部材（ｄｒｉｖｅ  ｍｅｍｂｅｒ）にかみ合うようになっている。
【０００３】
先行技術による構造は、実用面で多くの欠点を残している。該ラチェット・レンチのリングは回転部材に枢設しているため、このリングの回転中心部は該回転部材と同じ芯軸であるが、切換え素子はリング反対側一つの収容穴に枢設されている。よって、切換え素子とリングとの回転中心部は同じ芯軸ではない。つまり、リングと切換え素子両者間の方向切換え操作制御が複雑であり、かつ作動精度もよくない。
【０００４】
さらに、該切換え素子の回転中心部とリングの回転中心部が異なることから、現行設計による２方向操作構造は、この切換え素子でもって新たな操作位置を行うときに、ラチェット・レンチのスペースが大きく制限受けるため、一つの収容穴を追加するだけでは解決に至らない。よって、ラチェット・レンチ頭部が大きくなりかねないという課題が残る。
【０００５】
一方、該つめは切換え素子の制御によって位置変化を形成する設計となっているが、切換え素子によってプレス部材を伝動する移動進路から形成するアーク線と、つめの移動進路から形成するアーク線とは、反対な進路である。このため、該プレス部材が切換え素子内部にて伸縮自在でなければ、つめを伝動できない。しかしながら、このように反対のアーク線によるつめの伝動は、方向切換え動作が順調に行えないという問題を引き起こすばかりでなく、部品点数が多くなりかねないという課題が残る。
【先行技術文献】
【特許文献】
【０００６】
【特許文献１】米国特許第７２７８３３９号公報
【考案の概要】
【考案が解決しようとする課題】
【０００７】
そこで、本考案の主な目的は、伝動体と同じ芯軸のトグル部材により方向切換え装置を伝動し、スムーズ操作と確実動作の効果を実現できるほか、部品点数を削減できる長所がある、一種の３段式固定のラチェット・レンチを提供することにある。
【課題を解決するための手段】
【０００８】
上記課題を解決するために、本考案は、本体と、伝動体と、方向切換え装置と、トグル部材と、制御部材と、固定装置と、を含む３段式固定のラチェット・レンチであって、該本体は、頭部を有し、該頭部に収容空間を設け、該収容空間は円形状の第１収容溝と、該第１収容溝の内壁面に凹んで設けられる第２収容溝とを含み、該頭部の上部端面には該収容空間と連絡する貫通孔を設け、該伝動体は、該第１収容溝に旋設され、該伝動体の中間場所はかみ合い部を形成し、該伝動体の一端には該貫通孔を通り抜ける別のかみ合い部を設け、該伝動体には該別のかみ合い部の反対側に、該頭部の下部端面に露出して、スリーブに接続する伝動軸を設け、方向切換え装置は、該第２収容溝に収容され、該伝動体とかみ合い関係を形成するとともに、第１方向切換えブロックと、第２方向切換えブロックと、該２つの方向切換えブロックの間に設けられる弾性部材とを含み、該２つの方向切換えブロックには該伝動体のかみ合い部にかみ合うすくい面と、連動部とをそれぞれ設け、該トグル部材は、該頭部の該収容空間に設けられ、該トグル部材に枢支孔を明け、該枢支孔は該伝動体のかみ合い部にかみ合い、該トグル部材の一端は該第２収容溝に向かって延ばす移動シートを形成し、該トグル部材にはさらに第１移動部と第２移動部を設け、該２つの移動部は選択により、該２つの方向切換えブロックの連動部を伝動でき、該制御部材には、装入孔を設け、その片側に制御部を延ばして設け、該装入孔は該伝動体に装入し、該貫通孔より露出し、該制御部材は利用者の移動操作により、該トグル部材を回転させ、該固定装置は、該制御部材の制御部に収容されることにより、該制御部材を３つの位置において移動させる一方、該制御部材が第１位置にあるとき、該トグル部材の第１移動部が該第１方向切換えブロックの連動部に接触することにより、該第１方向切換えブロックのすくい面を該伝動体のかみ合い部から引き離し、該伝動体は該本体に対する時計方向回転の効果を有し、また、該制御部材が第２位置にあるとき、該トグル部材の第２移動部が第２方向切換えブロックの連動部に接触することにより、該第２方向切換えブロックのすくい面を該伝動体のかみ合い部から引き離し、本体に対して逆時計方向回転の効果を有し、さらに、該制御部材が第３位置にあるとき、前記２つの方向切換えブロックのすくい面とも該伝動体のかみ合い部にかみ合い、該伝動体が該本体に同期して回転できない効果を有することを特徴とする、３段式固定のラチェット・レンチである。
【考案の効果】
【０００９】
本考案による３段式固定のラチェット・レンチは、トグル部材が２つの移動部を有し、方向切換え装置に備える２つの方向切換えブロックの連動部にそれぞれ接触することにより、当該２つの方向切換えブロックが選択により伝動体とかみ合い、３つの操作位置の効果を形成できる。
【００１０】
本考案による３段式固定のラチェット・レンチは、トグル部材に備える２つの移動部がさらにフック部を有し、当該２つの方向切換えブロックが弾性部材によって抑えられていても、確実に伝動体を引き離し、操作確実な効果を有する。
【００１１】
本考案による３段式固定のラチェット・レンチは、固定装置が３つの押し面を備えた滑りシートにより、制御部材から３つの位置で優れた固定ができる。
【図面の簡単な説明】
【００１２】
【図１】本考案に係るラチェット・レンチの斜視図
【図２】本考案に係るラチェット・レンチの立体分解図
【図３】図１における３-３線に沿う断面図
【図４】図３における４-４線に沿う断面図において、制御部材が第３位置に設定されている状態の説明図
【図５】図３における５-５線に沿う断面図において、伝動部材が本体の回転に追従されない状態の説明図
【図６】図４の続きであって、制御部材が第１位置に設定されている状態の説明図
【図７】図５の続きであって、駆動部材が本体に追従し時計方向に回転する状態の説明図
【図８】図４の続きであって、制御部材が第２位置に設定されている状態の説明図
【図９】図５の続きであって、駆動部材が本体に追従し逆時計方向に回転する状態の説明図
【考案を実施するための形態】
【００１３】
図１ないし３を参照する。本考案によるラチェット・レンチは本体１０を有し、ハンドル部１１に略円形の頭部１２を接続し、該頭部１２の内部に収容空間１３を形成し、該収容空間１３は丸い形状の第１収容溝１３１と、該第１収容溝１３１内壁面に凹んで設けた三日月形の第２収容溝１３２とを含み、該第２収容溝１３２はさらに第１収容溝１３１と連絡する。該頭部１２の上部端面１２１には該収容空間１３に連絡する貫通孔１４を設け、該貫通孔１４は第１収容溝１３１と同じ芯軸のノッチ１４１と、略矩形の切欠き１４２からなる。該切欠き１４２は第２収容溝１３２の方向に向かって延ばす。該頭部１２上部端面１２１の切欠き１４２の付近端にピン穴１６を凹んで設ける。
【００１４】
伝動体２０は、収容空間１３の第１収容溝１３１に収容し、かつ相対的な回転関係を形成する。該伝動体２０の回転中心部と該第１収容溝１３１の芯軸とは、同じ軸線にある。一方、該伝動体２０の中間場所にかみ合い部２１を形成し、該かみ合い部２１全体は頭部１２の第１収容溝１３１に収容することができる。該かみ合い部２１の外周壁面には、つめが設けられている。該伝動体２０はかみ合い部２１の上部から掛け合い部２２を延ばして設け、該掛け合い部２２は頭部１２上部端面１２１のノッチ１４１外部に延ばして露出する。該掛け合い部２２は、末端部の外周面に環状溝２２１を設ける。
【００１５】
該伝動体２０は掛け合い部２２の反対端に伝動軸２３を設け、該伝動軸２３は略角柱体を形成し、片側の壁面に鋼球２４を設ける。伝動体２０全体は掛け合い部２２から伝動軸２３の中心部まで、縦方向にて押し棒２５を通し、かつ該押し棒２５に弾性部材２６（図４に示す）を装着し、押し棒２５を伝動体２０において、縦方向の弾性移動を可能にする。一方、該押し棒２５は、伝動軸２３に取り付けられた鋼球２４に対し、スリーブ装着機能を提供する。押し棒２５を押すことにより、鋼球２４を内部に引き込み、スリーブを簡単に取り外せる。
【００１６】
方向切換え装置３０は、頭部１２の第２収容溝１３２に収容し、伝動体２０とかみ合い関係を形成する。該方向切換え装置３０は第１方向切換えブロック３１、第２方向切換えブロック３２と、当該２つの方向切換えブロック３１、３２の間に設ける弾性部材３３とを含む。当該方向切換えブロック３１、３２は凹み円弧状のすくい面３１１、３２１を有し、該すくい面３１１、３２１は複数の歯型を分布し、当該すくい面３１１、３２１により伝動体２０外部表面のつめと深くかみ合うことができる。該方向切換えブロック３１、３２は、すくい面３１１、３２１の反対側に突き合わせ部３１２、３２２を形成し、該切換えブロック３１、３２の第２収容溝１３２の内壁面における接触または摺動を提供する。該切換えブロック３１、３２はさらに連動部３１３、３２３を有し、該連動部３１３、３２３は頭部１２の上部端面１２１に延ばして、円柱状の突起ブロックを形成する。該弾性部材３３によって、当該２つの方向切換えブロック３１、３２の引き離す力量を提供する。
【００１７】
トグル部材４０は、頭部１２の収容空間１３に設ける。該トグル部材４０に枢支孔４１を明け、該枢支孔４１は伝動体２０の掛け合い部２２に装入及び旋設し、相対的な枢動関係を形成する。該枢支孔４１の芯軸と該伝動体２０の回転中心部は同じ軸線にある。併せて図５を参照する。該トグル部材４０にはさらに、該枢支孔４１に連絡する固定溝１１を設ける。該トグル部材４０の一端には、第２収容溝１３２に向かって延ばす移動シート４２を形成し、該トグル部材４２には第１移動部４３と、第２移動部４４を突き出して設ける。該第１移動部４３は選択により、第１方向切換えブロック３１の連動部３１３に接触し、第１方向切換えブロック３１のすくい面３１１を伝動体２０のかみ合い部２１から引き離す。一方、該第２移動部４４は選択により、第２方向切換えブロック３２の連動部３２３に接触することにより、該第２移動部３２のすくい面３２１を伝動体２０のかみ合い部２１から引き離す。たとえば、連動部３１３、３２３を凹み溝状に、あるいは移動部４３、４４を凹み溝状連動部３１３、３２３に延ばす形状など、その他形状も本考案の請求範囲に含まれることを申し上げる。
【００１８】
当該２つの移動４３、４４の間に移動空間４５を形成し、該移動空間４５は方向切換えブロック３１、３２に備える連動部３１３、３２３の移動を提供する。当該２つの移動部４３、４４の末端に、フック部４３１、４４１をそれぞれ形成し、該フック部４３１、４４１は当該連動部３１３、３２３の移動量を制限することにより、当該方向切換えブロック３１、３２が移動された後に、適切に固定できる。該トグル部材４０の移動経路と方向切換え装置３０との移動経路は同じ方向の円弧状であるため、トグル部材４０と方向切換え装置３０との作動をよりスムーズにし、方向切換え動作をより確実にすることができる。
【００１９】
制御部材５０に装入孔５１を設け、その片側は延ばして制御部５２を設ける。そのうち、装入孔５１は伝動体２０に装入し、頭部１２のノッチ１４１の掛け合い部２２を突き出し、相対的な枢動関係を形成し、かつ該装入孔５１の軸芯は該伝動体２０の回転中心部と、同じ軸線にある。図４を合わせて参照する。該装入孔５１は制御部５２側付近の内壁面に、頭部１２に向かって突き出す固定シート５３を設け、該固定シート５３は切欠き１４２を通してトグル部材４０の固定溝４１１に延ばすことにより、該制御部材５０を該トグル部材４０と合わせて回転できる。該制御部材５０は留めリング５４によって、伝動体２０の掛け合い部２２に旋設し、該留めリング５４を環状溝２２１に留めて、伝動体２０の掛け合い部２２を本体１０頭部１２の上部端面１２１に突き出して設ける。さらに、制御部材５０は、該制御部５２の底面に、弓状溝５５とスロット５６を設け、該スロット５６と弓状溝５５は互いに連絡する。
【００２０】
ピン５７は、制御部材５０の弓状溝５５に設け、本体１０頭部１２上部端面１２１のピン孔１６に挿入することにより、該制御部材５０の枢動のとき、弓状溝５５は該ピン５７に対して相対的な枢動できる。
【００２１】
固定装置６０は、制御部材５０の制御部５２に取り付け、該固定装置６０は略Ｕ字型の滑りシート６１と、弾性部材６２からなる。該滑りシート６１は、該制御部５２のスロット５６に設け、局部的に該弓状溝５５に延ばす。該滑りシート６１は弓状溝５５側の一端に第１押し面６１１、第２押し面６１２、第３押し面６１３をそれぞれ取り付け、当該３つの押し面６１１、６１２、６１３は選択により、該ピン５７を押して、該制御部材５０の３つ位置の固定を形成させる。該第３押し面６１３は該第１押し面６１１と第２押し面６１２との間に設け、該第３押し面６１３はさらに凹み円弧状を形成し、該第１押し面６１１と第２押し面６１２は斜面形状を形成する。該滑りシート６１の他端は凹み部を形成し、弾性部材６２を収容する。そのうち、制御部材５０のスロット５６の開放端に留め金５６１を設け、弾性部材６２をスロット５６から露出させない。ただし、滑りシート６１は該弾性部材６２に対して押し効果を有する。
【００２２】
図４と図５に、本考案によるラチェット・レンチの制御部材が第３位置に設定されているところを示す。該制御部材５０が第３位置に設定されたときは、該固定装置６０の滑りシート６１は第３押し面６１３によって、頭部１２に設けられたピン５７を押して、該制御部材５０によい固定を実現できる。該トグル部材４０の固定溝４１１は制御部材５０の固定シート５３に連動しているため、トグル部材４０は中間場所に保持され、方向切換え装置３０に備える２つの方向切換えブロック３１、３２の連動部３１３、３２３を該トグル部材４０の移動空間４５に保持し、かつ前記した２つの方向切換えブロック３１、３２のすくい面３１１、３２１は該伝動体２０のかみ合い部２１とかみ合う。このとき、伝動体２０は本体１０に対して回転できない。それに伴い、伝動体２０と本体１０と同期し回転する効果を有する。本体１０を操作することにより、該伝動体２０より工作物の回転角度を微調整できる。
【００２３】
図６と図７に、本考案によるラチェット・レンチの制御部材５０が第１位置に設定されているところを示す。該制御部材５０が第１位置に設定されたときは、該固定装置６０の滑りシート６１は第１押し面６１１によって、頭部１２に設けられたピン５７を押すことにより、該制御部材５０によい固定を実現できる。該トグル部材４０の固定溝４１１は制御部材５０に備える固定シート５３の伝動を受けるため、該トグル部材４０も追従して移動し、該トグル部材４０の第１移動部４３は該第１方向切換えブロック３１の連動部３１３に接触し、該第１方向切換えブロック３１のすくい面３１１を該伝動体２０のかみ合い部２１から引き離す。そして、第１方向切換えブロック３１の突き合わせ部３１２が第２収容溝１３２の内壁面に摺動すること、方向切換え装置３０の弾性部材３３が圧縮されて外部に押し出す力量により、該第１方向切換えブロック３１を押して、該第１方向切換えブロック３１の連動部３１３を第１移動部４３のフック部４３１にあてがい、該第１方向切換えブロック３１は干渉されることなく、確実に伝動体２０を引き離す。このとき、伝動体２０は本体１０に対して時計方向に回転するが、伝動体２０は本体１０に対して逆時計方向回転ができない。よって、本体１０は逆時計方向に回すことにより、工作物の回転を伝動できる。
【００２４】
図８と図９に、本考案によるラチェット・レンチの制御部材５０が第２位置に設定されているところを示す。該制御部材５０が第２位置に設定されたときは、該固定装置６０の滑りシート６１は第２押し面６１２によって、頭部１２に設けられたピン５７を押すことにより、該制御部材５０によい固定を実現できる。該トグル部材４０の固定溝４１１は制御部材５０に備える固定シート５３の伝動を受けるため、該トグル部材４０も追従して移動し、該トグル部材４０の第２移動部４４は該第２方向切換えブロック３２の連動部３２３に接触し、該第２方向切換えブロック３２のすくい面３２１を該伝動体２０のかみ合い部２１より離す。そして、第２方向切換えブロック３２の突き合わせ部３２２が第２収容溝１３２の内壁面に摺動するとき、方向切換え装置３０の弾性部材３３は圧縮され外部に押し出す力量により、該第２方向切換えブロック３２を押し、該第２方向切換えブロック３２の連動部３２３を第２移動部４４のフック部４４１にあてがい、該第２方向切換えブロック３２は干渉されることなく、確実に伝動体２０を引き離す。このとき、伝動体２０は本体１０に対して時計方向に回転するが、伝動体２０は本体１０に対して逆時計方向に回転できない。よって、本体１０は逆時計方向に回すことにより、工作物の回転を伝動できる。
【符号の説明】
【００２５】
１０       本体
１１       ハンドル部
１２       頭部
１２１     上部端面
１２２     下部端面
１３       収容空間
１３１     第１収容溝
１３２     第２収容溝
１４       貫通孔
１４１     ノッチ
１４２     切欠き
１６       ピン孔
２０       伝動体
２１       かみ合い部
２２       掛け合い部
２２１     環状溝
２３       伝動軸
２４       鋼球
２５       押し棒
２６       弾性部材
３０       方向切換え装置
３１       第１方向切換えブロック
３１１     すくい面
３１２     突き合わせ部
３１３     連動部
３２       第２方向切換えブロック
３２１     すくい面
３２２     突き合わせ部
３２３     連動部
３３       弾性部材
４０       トグル部材
４１       枢支孔
４１１     固定溝
４２       移動シート
４３       第１移動部
４３１     フック部
４４       第２移動部
４４１     フック部
４５       移動空間
５０       制御部材
５１       装入孔
５２       制御部
５３       固定シート
５４       留めリング
５５       弓状溝
５６       スロット
５６１     留め金
５７       ピン
６０       固定装置
６１       滑りシート
６１１     第１押し面
６１２     第２押し面
６１３     第３押し面
６２       弾性部材
【図１】
0003150148.tif 000003
【図２】
0003150148.tif 000004
【図３】
0003150148.tif 000005
【図４】
0003150148.tif 000006
【図５】
0003150148.tif 000007
【図６】
0003150148.tif 000008
【図７】
0003150148.tif 000009
【図８】
0003150148.tif 000010
【図９】
0003150148.tif 000011